(57)【要約】【課題】上方の視認性を高くし易くて、門柱を利用した演出効果が高い照明光を照射し易い照明装置を提供すること。【解決手段】照明装置１を、地面から鉛直方向に延在する１以上の柱部５２を有する門柱５０における下側で地面よりも上側に取り付ける。照明装置１が、門柱５０から門柱５０に対して門柱５０の幅方向と鉛直方向の両方に直交する直交方向に離れた個所まで突出する直交方向突出部３を含むケース２を備える。照明装置１が、ケース２内において門柱５０から直交方向に離れた位置に配置され、鉛直方向の上方に光を出射する光源を備える。【選択図】図１
2020181712.tif 000002
【特許請求の範囲】
【請求項１】
地面から鉛直方向に延在する１以上の柱部を有する門柱における下側で前記地面よりも上側に取り付けられる照明装置であって、
前記門柱から前記門柱に対して前記門柱の幅方向と前記鉛直方向の両方に直交する直交方向に離れた個所まで突出する外側突出部を含むケースと、
前記ケース内において前記門柱から前記直交方向に離れた位置に配置され、前記鉛直方向の上方に光を出射する光源と、を備える、照明装置。
【請求項２】
入力電力を変換して前記光源に供給する出力電力を生成する電源装置を備え、
前記外側突出部が、前記門柱から前記略直交方向に延在する直交方向突出部であり、
前記ケースが、略Ｌ字状の側面を有して、前記直交方向突出部の前記門柱側とは反対側から前記鉛直方向の上方に突出する鉛直方向突出部を含み、
前記電源装置が、前記直交方向突出部内に設けられた電源装置収容室に収容される一方、前記光源が、前記鉛直方向突出部内に設けられた光源収容室に収容される、請求項１に記載の照明装置。
【請求項３】
前記鉛直方向突出部が、その上面において前記門柱から前記直交方向に離れた側の端部から前記鉛直方向の上方側に突出する突出片を有する、請求項２に記載の照明装置。
【請求項４】
前記門柱に取り付けられる第１平板部、前記第１平板部が前記門柱の所定位置に取り付けられた状態において、上側端部が前記第１平板部よりも前記鉛直方向の上方側に位置すると共に前記門柱から前記直交方向に離れた個所に位置する第２平板部、及び前記第１平板部と前記第２平板部における前記上側端部以外の箇所とを連結する連結部を有する取付金具を備え、
前記直交方向突出部は、前記鉛直方向の下側に開口する係合凹部を前記直交方向の前記門柱側に有すると共に、前記鉛直方向の下方側に突出する門柱取付片を有し、
前記上側端部が前記係合凹部に係合されると共に、前記門柱取付片が前記門柱に締結手段で締結される、請求項１乃至３のいずれか１つに記載の照明装置。
【発明の詳細な説明】
【技術分野】
【０００１】
本開示は、照明装置に関する。
【背景技術】
【０００２】
従来、門柱に取り付けられる照明装置としては、特許文献１に記載されているものがある。この照明装置は、建物のエントランス部にいる人の足元を照らすために門柱の下側に設置される。
【先行技術文献】
【特許文献】
【０００３】
【特許文献１】特開平９−１５１６８４号公報
【発明の概要】
【発明が解決しようとする課題】
【０００４】
上記照明装置は、人の足元しか照らすことができないため、上方の視認性が良くない。更には、門柱を用いて演出効果が高くて美しい照明光を生成できると好ましい。そこで、本開示の目的は、上方の視認性を高くし易くて、門柱を利用した演出効果が高い照明光を照射し易い照明装置を提供することにある。
【課題を解決するための手段】
【０００５】
上記課題を解決するため、本開示に係る照明装置は、地面から鉛直方向に延在する１以上の柱部を有する門柱における下側で地面よりも上側に取り付けられる照明装置であって、門柱から門柱に対して門柱の幅方向と鉛直方向の両方に直交する直交方向に離れた個所まで突出する外側突出部を含むケースと、ケース内において門柱から直交方向に離れた位置に配置され、鉛直方向の上方に光を出射する光源と、を備える。
【発明の効果】
【０００６】
本開示に係る照明装置によれば、上方の視認性を高くし易くて、門柱を利用した演出効果が高い照明光を照射し易い。
【図面の簡単な説明】
【０００７】
【図１】本開示の一実施形態に係る照明装置が取り付けられた状態の門柱の斜視図である。
【図２】上記照明装置のケースの本体の構造を説明する斜視図である。
【図３】上記ケースの本体に取り付けられた導光棒を示す図である。
【図４】上記照明装置の光源の主要部の斜視図である。
【図５】上記光源における、導光棒と、基板と、放熱板との位置関係を示す図である。
【図６】上記ケースに対する電源装置の取付構造について説明する図であり、ケースの電源装置収容室の内部を示す模式図である。
【図７】上記照明装置における直交方向一方側の端部構造を説明する一部分解斜視図である。
【図８】上記照明装置の一部の分解斜視図である。
【図９】上記照明装置の一部の分解斜視図である。
【図１０】上記照明装置の取付金具が取り付けられた門柱の斜視図である。
【図１１】上記光源が取り付けられた門柱の斜視図である。
【図１２】上記照明装置において好適な配線構造を説明する図である。
【図１３】上記門柱に設置された照明装置を図１１とは別の方向から見たときの斜視図である。
【発明を実施するための形態】
【０００８】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、複数の図面には、模式図が含まれ、異なる図間において、各部材における、縦、横、高さ等の寸法比は、必ずしも一致しない。また、以下の説明及び図面において、Ｘ方向は、門柱の幅方向を示し、Ｙ方向は、直交方向を示し、Ｚ方向は、鉛直方向を示す。Ｘ方向、Ｙ方向、及びＺ方向は、互いに直交する。また、以下の説明で、取付手段は、例えば、ねじ等の締結部材、溶接部、又は接着剤で構成されてもよい。また、以下の説明で、照明装置１に関する記載で、Ｘ方向、Ｙ方向、Ｚ方向を用いた場合、その記載は、照明装置１が門柱５０に適切に設置された状態で表現されているものとする。また、以下で説明される構成要素のうち、最上位概念を示す独立請求項に記載されていない構成要素については、任意の構成要素であり、必須の構成要素ではない。
【０００９】
図１は、本開示の一実施形態に係る照明装置１が取り付けられた状態の門柱５０の斜視図である。図１に示すように、門柱５０は、土台５１、及び略同一の複数の柱部５２を備える。土台５１は、地中に埋め込み固定される。また、複数の柱部５２は、Ｘ方向から見たとき重なるようにＸ方向に間隔をおいて配置され、各柱部５２は、土台５１からＺ方向に延在する。なお、土台５１の全てが地中に埋め込み固定されてもよい。又は、土台５１の上側の一部を地中に埋め込み固定しなくてもよく、土台５１の上面が地面の一部を構成してもよい。
【００１０】
柱部５２をＸＹ平面で切断したときの断面形状は、如何なる形状でもよいが、図１に示すように矩形であると、照明装置１が取り付け易くなって好ましい。また、図１に示すように、門柱５０には、ポスト５３、インターホン５４、及び表札５５のうちの少なくとも一つがその外側（家屋側とは反対側）に取付手段によって固定されてもよく、宅配ボックス５９が、その内側（家屋側）に取付手段によって固定されてもよい。また、図１に示す例では、門柱５０が、複数の柱部５２を有しているが、門柱は、１つのみの柱部を有してもよい。
【００１１】
照明装置１は、門柱５０が所定位置に固定された状態で門柱５０における下側で地面よりも上側に位置する箇所に固定される。ここで、門柱５０における下側とは、門柱の高さを地面からの高さとするとき、門柱５０の高さの半分の高さよりも下側の領域のことである。また、照明装置１における地面からのＺ方向の距離は、０より大きな如何なる距離でもよく、例えば、３ｃｍ以上でもよく、５ｃｍ以上でもよく、７ｃｍ以上でもよく、又は１０ｃｍ以上でもよい。照明装置１は、門柱５０の所定位置に取り付けられた状態でＸ方向に延在する。門柱５０に対する照明装置１の固定構造については後で詳細に説明する。照明装置１は、略Ｌ字状の側面を有するケース２を備え、ケース２は、外側突出部の一例としての直交方向突出部３と、鉛直方向突出部４とを含む。直交方向突出部３は、門柱５０から略Ｙ方向に突出し、鉛直方向突出部４は、直交方向突出部３におけるＹ方向の門柱５０側とは反対側からＺ方向上方に突出する。
【００１２】
図２は、ケース２の本体５の構造を説明する斜視図である。図２に示すように、ケース２は、直交方向突出部３内に電源装置収容室３ａを有し、鉛直方向突出部４内に光源収容室４ａを有する。光源収容室４ａの底部７は、電源装置収容室３ａの天板部８の一部を構成し、天板部８の一部を兼用している。また、底部７は、その上面７ａからＹ方向に間隔をおいてＸ方向に延在すると共にＺ方向上側に突出する一対の光源係止部９を有する。
【００１３】
次に、ケース２に対する光源の取付構造と、ケース２に対する電源装置の取付構造について説明する。光源は、基板、発光部としての１以上のＬＥＤ（Light Emitting Diode）、及び導光棒を有し、ＬＥＤは、基板の実装面に実行されている。図３は、ケース２の本体５に取り付けられた導光棒１０を示す図である。導光棒１０は、アクリル、ガラス、又はポリカーボネート等の光を導光させる性質を有する材質で構成され、ケース２に取り付けられた状態でＸ方向に延在する。
【００１４】
図３に示すように、導光棒１０は、導光棒ケース１１を介してケース２に取り付けられる。詳しくは、導光棒ケース１１は、Ｚ方向上側に開口する導光棒収容部１１ａと、一対の脚部１１ｂを含み、一対の脚部１１ｂは、導光棒収容部１１ａからＺ方向下側に突出すると共に、Ｙ方向に間隔をおいてＸ方向に延在する。一対の脚部１１ｂの下側かつ外側に設けられた爪部を、一対の光源係止部９の上側かつ内側に設けられた爪部に係止することで、一対の脚部１１ｂを、光源収容室４ａに取り付ける。
【００１５】
導光棒１０は、Ｚ方向下側に突出すると共にＸ方向に延在する突条部１０ａを下側に有し、導光棒収容部１１ａは、Ｘ方向に延在する溝状の凹部１１ｃを下側に有する。導光棒１０の突条部１０ａを、溝状の凹部１１ｃに嵌め込み固定することで、導光棒１０が、導光棒収容部１１ａに固定され、その結果、光源収容室４ａに取り付けられる。
【００１６】
光源２０は、導光棒ケース１１の上側開口を塞ぐ内側照明カバー２１を有する。内側照明カバー２１は、アクリル、ガラス、又はポリカーボネート等の光を透光させる性質を有する素材で構成される。内側照明カバー２１は、一対の側壁部２１ａと、各側壁部２１ａの上端部を連結してＸ方向に延在するカバー部２１ｂを有する。導光棒収容部１１ａは、導光棒１０の一方側側面を覆う第１側壁１４ａと、導光棒１０の他方側側面を覆う第２側壁１４ｂを含み、各側壁１４ａ,１４ｂは、Ｙ方向に突出すると共にＸ方向に延在する突条部１５ａ,１５ｂを有する。一対の側壁部２１ａ,２１ｂの下端が突条部１５ａ,１５ｂに接触するまで、内側照明カバー２１を上側から側壁１４ａ,１４ｂに圧入することで、内側照明カバー２１を、導光棒ケース１１に取り付ける。
【００１７】
図４は、光源２０の主要部の斜視図であり、図５は、光源２０における、導光棒１０と、基板２５と、放熱板２４との位置関係を示す図である。図４に示すように、光源２０は、上述の導光棒ケース１１及び内側照明カバー２１に加えて、絶縁カバー２３と、アルミニウム等の金属で形成される放熱板２４を有する。また、図５に示すように、光源２０は、導光棒１０の延在方向（Ｘ方向に一致）の一方側の端面１０ｂよりもＸ方向一方側に基板２５を有する。基板２５は、例えば、放熱板２４における導光棒１０側の端面に取付手段で固定され、基板２５における導光棒１０側の実装面には、１以上のＬＥＤ２２が実装される。Ｘ方向から見たとき、１以上のＬＥＤ２２は、導光棒１０の端面１０ｂに重なる位置に配置される。
【００１８】
絶縁カバー２３は、Ｘ方向他方側に開口する凹部（図示せず）を有してもよく、放熱板２４の上側端部は、該凹部の底部に取付手段によって固定されてもよい。また、放熱板２４が、絶縁カバー２３に固定されている状態で、絶縁カバー２３の凹部を、導光棒ケース１１のＸ方向一方側の端部と、内側照明カバー２１（図３参照）のＸ方向一方側の端部に嵌め込むことで、光源２０を形成してもよい。また、例えば、導光棒１０には、その下面に、複数の反射部、例えば、複数の円錐孔形状のプリズムや、複数の四角錐の形状の孔からなるプリズムが、Ｘ方向の略全域に亘って形成されてもよい。そして、光源２０は、ＬＥＤ２２から導光棒１０に入射した光を、反射部で上側に反射させることで、上側に出射させてもよい。
【００１９】
再度、図３を参照して、ケース２は、上記本体５に加えて、外側照明カバー２６を有する。本体５は、例えば、金属や樹脂で構成され、押出成形で形成され、Ｘ方向に延在する。また、外側照明カバー２６は、アクリル、ガラス、又はポリカーボネート等の光を透光させる性質を有する素材で構成される。本体５は、光源収容室４ａにおいてＹ方向に対向する一対の内面からＹ方向に突出すると共にＸ方向に延在する一対の外側カバー係止部４ｂを有し、外側照明カバー２６は、平板状の本体２６ａと、一対の脚部２６ｂを含む。一対の脚部２６ｂは、本体２６ａの下面からＺ方向下側に突出すると共にＹ方向に間隔をおいてＸ方向に延在し、下側かつ外側に爪部２６ｃを有する。
【００２０】
外側照明カバー２６を、本体５において光源収容室４ａの上側に位置する上側開口を塞ぐように上側から本体５に対して下側に相対移動させる。そして、爪部２６ｃを、内側に歪ませた状態で外側カバー係止部４ｂを通過させた後、外側カバー係止部４ｂの下面に係止することで、外側照明カバー２６を本体５に固定する。
【００２１】
外側照明カバー２６、及び内側照明カバー２１は、雨水が上側から導光棒収容部１１ａ内に浸入することを２重構造で防止する。また、絶縁カバー２３は、雨水が上側から内側照明カバー２１と基板２５との間を通過して導光棒収容部１１ａ内に浸入することを防止すると共に、雨水がＸ方向一方側から導光棒収容部１１ａ内に浸入することも防止する。照明装置１が、外側照明カバー２６、内側照明カバー２１、及び絶縁カバー２３を備えることで、雨水が上側から導光棒収容部１１ａ内に浸入して、基板２５に実装された電送部品等に接触することを３重構造で防止することができる。
【００２２】
図６は、ケース２に対する電源装置３０の取付構造について説明する図であり、ケース２の電源装置収容室３ａの内部を示す模式図である。電源装置３０は、１以上の基板と、基板の実装面に実装された複数の電子部品を有する。電源装置３０は、商用電源からの交流電力を直流電力に適切に変換し、変換後の直流電力を、配線を介して上記ＬＥＤに供給する。図６に示すように、電源装置本体３１のＹ方向両側かつＺ方向上側からＹ方向に突出した後に屈曲してＺ方向下側に延在する一対の係止部３２,３３を有し、ケース２は、電源装置収容室３ａにおいてＸ方向に延在する一対の内面の夫々からＹ方向に突出すると共にＸ方向に延在する一対の係止部３５,３６を有する。
【００２３】
ケース２の本体５は、Ｘ方向の両側が開口している。電源装置３０の一対の係止部３２,３３の下端が、一対の係止部３５,３６の上面に接触するように、電源装置３０を、本体５のＸ方向の片側の開口からＸ方向に所定位置まで挿入する。その後、例えば、一対の係止部３２,３３が、本体５に取付手段で固定されることで、電源装置３０がケース２に取り付けられる。電源装置３０が、本体５に固定されている状態で、電源装置３０は、電源装置収容室３ａの底面に対して間隔をおいた状態で上側に位置して、その底面に接触しない。このようにして、仮に、雨水が電源装置収容室３ａ内に浸入したとしても、電源装置３０がその雨水に接触しないようにして、電源装置３０内の電装部品のシュート等を防止している。
【００２４】
図７は、照明装置１におけるＸ方向の一方側（Ｘ方向のＬＥＤ側）の端部構造を説明する一部分解斜視図である。ケース２の本体５に光源２０及び電源装置３０を固定した状態で、Ｘ方向一方側に開口する第１スペースが光源収容室４ａにおける光源２０よりもＸ方向一方側に存在すると共に、Ｘ方向一方側に開口する第２スペースが電源装置収容室３ａにおける電源装置３０よりもＸ方向一方側に存在する。
【００２５】
図７に示すように、第１及び第２スペース４０,４１の夫々には、ゴム等の弾性体で構成された防水パッド４２,４３を、光源２０及び電源装置３０に接触するまで圧入により嵌め込み固定する。そして、その後、本体５におけるＸ方向一方側の開口を塞ぐように本体５のＸ方向一方側の端部にサイドキャプ４６を固定する。詳しくは、図８に示すように、照明装置は、第１防水パッド４２と、第２防水パッド４３を有し、第１防水パッド４２は、光源収容室４ａにおけるＹＺ平面での断面よりも僅かに大きなＹＺ平面での断面を有し、第２防水パッド４３は、電源装置収容室３ａにおけるＹＺ平面での断面よりも僅かに大きなＹＺ平面での断面を有する。
【００２６】
第１防水パッド４２は、光源収容室４ａにＸ方向一方側から圧入により嵌め込まれ、第２防水パッド４３は、電源装置収容室３ａにＸ方向一方側から圧入により嵌め込まれる。図９に示すように、第１及び第２防水パッド４２,４３を本体５に嵌め込み固定した後で、光源収容室４ａにおける第１防水パッド４２よりもＸ方向一方側には第３スペース４７が存在し、電源装置収容室３ａにおける第２防水パッド４３よりもＸ方向一方側には第４スペース４８が存在する。
【００２７】
図９に示すように、サイドキャプ４６は、Ｘ方向に突出するリブを有し、そのリブは、光源収容室４ａの開口側の内面に対応する形状を有する第１リブ部８４と、電源装置収容室３ａの開口側の内面に対応する形状を有する第２リブ部８５を含む。第１リブ部８４を、圧入により第３スペース４７に嵌め込み固定すると共に、第２リブ部８５を、圧入により第４スペース４８に嵌め込み固定することで本体５のＸ方向一方側の開口が塞がれる。本開示の照明装置１では、このように、絶縁カバー２３（図４参照）、防水パッド４２,４３、及びサイドキャプ４６の３重防水構造で、外部の雨水がサイドからＸ方向にＬＥＤ２２周辺の電装部品密集領域まで浸入することを妨げることができる。よって、その電装部品密集領域への雨水の浸入の防水効果を優れたものにできる。
【００２８】
次に、門柱５０への照明装置１の取付構造について説明する。再度、図６を参照して、その取付構造は、取付金具６０と、係合凹部５６、及び門柱取付片５７を有する。図１０は、取付金具６０が取り付けられた門柱５０の斜視図であり、図１１は、光源２０が取り付けられた門柱５０の斜視図である。図１０に示すように、取付金具６０は、第１平板部６１、第２平板部６２、及び連結部６３を有する。第１平板部６１は、その長手方向がＸ方向に略一致している状態で門柱５０にねじ６４で固定される。また、第２平板部６２は、第１平板部６１が門柱５０の所定位置に取り付けられた状態において、上側端部６２ａが第１平板部６１よりもＺ方向上側に位置すると共にＸ方向に略平行に延在し、門柱５０に対してＹ方向に間隔をおいて位置する。また、連結部６３は、第１平板部６１と第２平板部６２における上側端部６２ａ以外の箇所とを連結する。連結部６３は、本実施例のように、Ｙ方向とＺ方向を含む平面における断面においてＺ字形状を有してもよい。
【００２９】
図６に示すように、係合凹部５６と門柱取付片５７は、ケース２の本体５に設けられる。詳しくは、係合凹部５６は、直交方向突出部３の上側かつＹ方向の門柱５０側に設けられ、Ｚ方向下側に開口する。係合凹部５６は、直交方向突出部３のＹ方向の門柱５０側の側面の上側からＹ方向の門柱５０側に突出した後にＺ方向下側に屈曲してＺ方向下側に延在する係止片６７を有する。係合凹部５６は、直交方向突出部３のＹ方向の門柱側の側面６９と、係止片６７とで画定される。
【００３０】
また、門柱取付片５７は、直交方向突出部３の下側からＺ方向下方側に突出する。門柱取付片５７は、平板部５７ａと、連結部５７ｂを有する。平板部５７ａは、直交方向突出部３のＹ方向の門柱５０側の側面よりもＹ方向の門柱５０側に位置すると共に、直交方向突出部３の下面よりもＺ方向下側に位置する。平板部５７ａは、ＸＺ平面に略平行に延在する。また、連結部５７ｂは、直交方向突出部３の下側と平板部５７ａの上側端部を連結し、Ｘ方向に延在する。図６に示すように、第２平板部６２のＺ方向の上側端部を係合凹部５６に下側から嵌め込むと共に、図１１に示すように、門柱取付片５７の平板部５７ａをねじ７１で門柱５０に固定することで、照明装置１を門柱５０に固定する。
【００３１】
図１２は、照明装置１において好適な配線構造を説明する図である。図１２に示す例では、商用電源からの電力を供給するケーブルは、例えば、家屋から地下に入った後に、門柱５０の柱部５２内をＺ方向上側に延びた後、ＥＥ（Electric Eye）スイッチ（自動点滅器）７２に電気的に接続される。配線７３は、門柱５０の柱部５２内をＺ方向上側に延びる配線部を示す。ＥＥスイッチ７２は、照度センサ等を含み、暗くなれば自動的に点灯、明るくなると自動的に消灯する。
【００３２】
ＥＥスイッチ７２を電源装置３０に電気的に接続する配線７４は、門柱５０の柱部５２内をＺ方向下側に延びて、門柱５０に設けられた孔７５を介して門柱５０外に延びる。また、外側に延びた配線７７は、図示しない配管状の被覆部に覆われた状態でケース２に取り付けられたブッシュ７８（図２参照）まで延在した後、ブッシュ７８を介してケース２内に入り、電源装置３０に電気的に接続される。
【００３３】
このようにして、商用電源からの電力を、電源装置３０に接続し、電源装置３０で適切に変換した直流電力を、ＬＥＤ２２（図５参照）に供給するようになっている。本実施例では、商用電源からの配線が、ＥＥスイッチ７２を経由した後に電源装置３０に電気的に接続されるので、照明装置１を暗さに応じて自動的に点灯又は消灯させることができる。なお、ＥＥスイッチの替わりに人が照明装置の点灯の有無を選択するスイッチを採用することもできる。
【００３４】
以上、照明装置１は、地面からＸ方向に延在する１以上の柱部５２を有する門柱５０における下側で地面よりも上側に取り付けられる。また、照明装置１は、門柱５０から門柱５０に対して門柱５０の幅方向（Ｘ方向）と鉛直方向（Ｚ方向）の両方に直交するＹ方向に離れた個所まで突出する直交方向突出部（外側突出部）３を含むケース２を備える。また、照明装置１は、ケース２内において門柱５０からＹ方向に離れた位置に配置され、Ｚ方向の上方に光を出射する光源２０を備える。
【００３５】
したがって、光源２０から上側に出射された照明光が門柱５０の柱部５２やポスト５３で遮られにくく、照明光で上方まで確実に照らすことができる。また、門柱５０の下側に設置されて門柱５０からＹ方向に離れた位置に存在する光源２０から光を上側に出射するようになっているので、光源２０からの照明光で、門柱５０の柱部５２の上側を照らし易くなって、門柱５０の柱部５２の陰影を際立たせることができる。よって、照明光の演出効果を高めることができる。更には、照明装置１が、門柱５０における地面よりも上側に取り付けられるので、照明装置１が地上の雨水により劣化することも防止できる。
【００３６】
また、照明装置１は、入力電力を変換して光源２０に供給する出力電力を生成する電源装置３０を備える。また、外側突出部が、門柱５０から略Ｙ方向に延在する直交方向突出部３でもよい。また、ケース２が、略Ｌ字状の側面を有して、直交方向突出部３の門柱５０側とは反対側からＺ方向の上方に突出する鉛直方向突出部４を含んでもよい。また、電源装置３０が、直交方向突出部３内に設けられた電源装置収容室３ａに収容される一方、光源２０が、鉛直方向突出部４内に設けられた光源収容室４ａに収容されてもよい。
【００３７】
本構成によれば、光源２０を電源装置３０にＺ方向に重ねるように配置できる。したがって、光源及び電源装置をＹ方向に重ねるように配置する場合との比較で、照明装置１をコンパクトに見せることができ、スタイリッシュな照明装置１を実現できる。
【００３８】
また、図１３、すなわち、門柱５０に設置された照明装置１を図１１とは別の方向から見たときの斜視図に示すように、鉛直方向突出部４が、その上面８８において門柱５０からＹ方向に離れた側の端部から上側に突出する突出片８１を有してもよい。
【００３９】
本構成によれば、照明装置１から上側に出射されてＹ方向の門柱５０側とは反対側に広がる光の一部を突出片８１でＹ方向の門柱５０側に反射させることができる。したがって、照明光を、門柱５０、ポスト５３、及び宅配ボックス５９側に向けることができて、それらを突出片８１での反射光で照らすことができる。よって、門柱５０の柱部５２の陰影を更に際立たせることができて、照明光の演出効果を更に高めることができると共に、ポスト５３、宅配ボックス５９をより明るい光で照らすことができる。
【００４０】
また、光源２０を高精度に位置決めしなくても、照明光がＹ方向の門柱５０側とは反対側に広がることを抑制でき、光源２０の配置の自由度を高くできる。また、照明光が、Ｙ方向の門柱５０側とは反対側に広がることを抑制できるので、照明装置１からの照明光で人が眩しさを感じにくくなる。
【００４１】
また、照明装置１は、門柱５０に取り付けられる第１平板部６１、第１平板部６１が門柱５０の所定位置に取り付けられた状態において、上側端部６２ａが第１平板部６１よりも上側に位置すると共に門柱５０からＹ方向に離れた個所に位置する第２平板部６２、及び第１平板部６１と第２平板部６２における上側端部６２ａ以外の箇所とを連結する連結部６３を有する取付金具６０を備えてもよい。また、直交方向突出部３は、Ｚ方向の下側に開口する係合凹部５６をＹ方向の門柱５０側に有すると共に、Ｚ方向の下方側に突出する門柱取付片５７を有してもよい。また、上側端部６２ａが係合凹部５６に係合されると共に、門柱取付片５７が門柱５０にねじ（締結手段）７１で締結されてもよい。
【００４２】
本構成によれば、直交方向突出部３のＹ方向の門柱５０側に設けられて下側に開口する係合凹部５６に、門柱５０に取り付けられた取付金具６０の上側端部６２ａを下側から嵌め込んで係止している。したがって、人が、照明装置１を上側から見たときに、照明装置１の門柱５０への取付箇所を視認しにくくなる。よって、照明装置１をスタイリッシュで、美観に優れたものにできる。更には、照明装置１の下側に存在して人が視認しにくい門柱取付片５７を門柱５０にねじ７１で固定しているので、照明装置１を確実に門柱５０に固定できる。
【００４３】
なお、本開示は、上記実施形態およびその変形例に限定されるものではなく、本願の特許請求の範囲に記載された事項およびその均等な範囲において種々の改良や変更が可能である。
【００４４】
例えば、上記実施形態では、発光部が、１以上のＬＥＤ２２で構成される場合について説明したが、光源は、１以上の半導体レーザ素子で構成されてもよい。又は、発光部は、１以上の有機ＥＬ（Electro Luminescence）素子もしくは１以上の無機ＥＬ素子等の１以上の固体発光素子で構成されてもよい。また、発光部は、白熱灯で構成されてもよい。
【００４５】
また、外側突出部が、Ｙ方向に延在する直交方向突出部３である場合について説明したが、外側突出部は、直交方向延在成分を含む方向に延在すればよく、直交方向に対して傾斜する方向に延在してもよい。
【００４６】
また、ケース２が、鉛直方向突出部４を含む場合について説明したが、ケースは、鉛直方向突出部を含まなくてもよい。また、鉛直方向突出部４が、その上面８８において門柱５０からＹ方向に離れた側の端部から上側に突出する突出片８１を有する場合について説明した。しかし、鉛直方向突出部は、その上面において門柱５０からＹ方向に離れた側の端部に上側に突出する突出片を有さなくてもよい。
【００４７】
また、門柱５０に固定した取付金具６０の上側端部６２ａを、ケース２のＹ方向の門柱５０側に設けられて下側に開口する係合凹部５６に下側から係止することで、照明装置１を、門柱５０に固定する場合について説明した。しかし、ケースは、下側に開口する係合凹部を有さなくてもよく、例えば、ケースにおいて上側に突出する突出部片を門柱に固定することによって、照明装置を門柱に固定してもよい。
【符号の説明】
【００４８】
１  照明装置、  ２  ケース、  ３  直交方向突出部、  ３ａ  電源装置収容室、  ４  鉛直方向突出部、  ４ａ  光源収容室、  ２０  光源、  ３０  電源装置、  ５０  門柱、  ５２  柱部、  ５６  係合凹部、  ５７  門柱取付片、  ６０  取付金具、  ６１  第１平板部、  ６２  第２平板部、  ６２ａ  第２平板部の上側端部、  ６３  連結部、  ７１  ねじ、  ８８  鉛直方向突出部の上面、  ８１  突出片、  Ｘ方向  門柱の幅方向、  Ｙ方向  直交方向、  Ｚ方向  鉛直方向。
【図１】
2020181712.tif 000003
【図２】
2020181712.tif 000004
【図３】
2020181712.tif 000005
【図４】
2020181712.tif 000006
【図５】
2020181712.tif 000007
【図６】
2020181712.tif 000008
【図７】
2020181712.tif 000009
【図８】
2020181712.tif 000010
【図９】
2020181712.tif 000011
【図１０】
2020181712.tif 000012
【図１１】
2020181712.tif 000013
【図１２】
2020181712.tif 000014
【図１３】
2020181712.tif 000015